【手続補正書】
【提出日】平成17年12月19日(2005.12.19)
【手続補正１】
【補正対象書類名】明細書
【補正対象項目名】特許請求の範囲
【補正方法】変更
【補正の内容】
【特許請求の範囲】
【請求項１】
ホームネットワークのディレクトリ番号を第２ネットワークへ伝達する方法であって、以下のステップを含むもの：
ユーザを前記ホームネットワークの呼出側が呼出すステップであって、前記ユーザの前記ホームネットワークのディレクトリ番号が前記第２ネットワークへ伝達され；
前記通話をＶＭＳＣＡへ回送するステップ；
ローミング番号を引出すためのＳＲＩ  ＲＥＱメッセージを、前記ＶＭＳＣＡによって前記ユーザのＨＬＲへ送信するステップであって、前記ユーザの前記ホームネットワークの前記ディレクトリ番号が前記第２ネットワークへ伝達され；
ＰＲＮ  ＲＥＱメッセージを、前記ユーザの前記ＨＬＲによってＧＭＳＣＡへ送信するステップであって、前記ユーザの前記ホームネットワークの前記ディレクトリ番号は前記第２ネットワークへ伝達され；
前記受信されたＰＲＮ  ＲＥＱメッセージを前記ＧＭＳＣＡによって判定して、ＮＰＤＢ＋へのインテリジェントサービスを起動するステップ；
前記ホームネットワークの前記ディレクトリ番号が前記第２ネットワークへ伝達される前記ユーザを前記ＮＰＤＢ＋によって決定することにより、前記ユーザは本当に前記ホームネットワークディレクトリ番号が前記第２ネットワークへ伝達されるユーザであるか否かを判定するステップであって、前記決定が肯定である場合には仮想ローミング番号が割当てられて、ＣＯＮＮＥＣＴメッセージで前記ＧＭＳＣＡへ返送され；前記決定が否定である場合には、エラーコードが前記ＧＭＳＣＡへ戻し返送され；
前記仮想ローミング番号を、前記ＧＭＳＣＡによって前記ＨＬＲへＰＲＮ  ＲＳＰメッセージで返送するステップ；
前記仮想ローミング番号を、前記ＨＬＲによって前記ＧＭＳＣＡへＳＲＩ  ＡＣＫメッセージで返送するステップ；
前記仮想ローミング番号を前記ＶＭＳＣＡによって解析し、そして前記通話を前記ホームネットワークの従前のゲートウエイＭＳＣＢへ回送するステップ；
回送された番号に基づき、前記ゲートウエイＭＳＣＢによって前記通話をゲートウエイＭＳＣＣへ回送するステップ；および、
現在加入するネットワークを、前記ホームネットワークディレクトリ番号が前記第２ネットワークへ伝達される前記ユーザのために、前記ホームネットワークによって確定するステップ。
【請求項２】
請求項１の方法であって、
前記ホームネットワークの前記呼出側は前記ホームネットワークの移動体ユーザであり、前記呼出側は、呼出側端末センターでＮＰアウト・ユーザのためのローミング番号を引出す操作を実行する。
【請求項３】
請求項１の方法であって、
前記ホームネットワークの前記呼出側は前記ホームネットワークの位置固定ユーザであり、前記呼出側は前記ホームネットワークの前記ゲートウエイでＮＰアウト・ユーザのためのローミング番号を引出す操作を実行する。
【請求項４】
請求項１の方法であって、
前記仮想ローミング番号はＲＮ＋ＭＳＩＳＤＮの形式である。
【請求項５】
第２ネットワークのディレクトリ番号をホームネットワークへ伝達する方法であって、以下のステップを含む：
ユーザを前記ホームネットワークの呼出側によって呼出すステップであって、前記第２ネットワークのディレクトリ番号は前記ホームネットワークへ伝達され；
ローミング番号を引出すためのＳＲＩ  ＲＥＱメッセージを、前記第２ネットワークの全てのユーザのために、前記ＶＭＳＣＡによってＮＰＤＢ＋へ送信するステップ；
前記通話をＢＭＳＣＡによってＧＭＳＣＡに回送するステップ；
ローミング番号を引出すためのＳＲＩ  ＲＥＱメッセージを、前記第２ネットワークの前記ユーザのために、前記ＧＭＳＣＡによって前記ＮＰＤＢ＋へ送信するステップ；
前記ＮＰＤＢ＋が前記ＳＲＩ  ＲＥＱメッセージを受信した後に、前記メッセージを、内部インタフェースを経由して内部ＮＰＨＬＲ機能モジュールへ中継するステップ；
前記ローミング番号を引出すための前記操作を、前記内部ＮＰＨＬＲ機能モジュールによって前記ホームネットワークのＶＭＳＣへ送信し、そして前記操作の結果を、正規のＳＲＩ  ＡＣＫメッセージによって前記ＧＭＳＣＡへ返送するステップ；および、
前記返送されたローミング番号／回送番号に基づき、前記通話を、前記ＧＭＳＣＡによってＶＭＳＣＢ／ＧＭＳＣＢへ回送するステップ。
【請求項６】
請求項５の方法であって、
前記ＮＰＨＬＲ機能モジュールがローミング番号を引出すための前記ＰＲＮ  ＲＥＱ操作を、前記ホームネットワークのＢＭＳＣへ送信した後に、前記方法は更に以下のステップを含む：
前記操作が断定的である場合、前記ユーザが前記ホームネットワークの前記ディレクトリ番号が前記第２ネットワークへ伝達されるユーザであることを指し示すステップ；および、前記操作が断定的でない場合、前記ユーザが前記第２ネットワークのユーザであることを指し示し、そして問合せを、前記ＮＰＨＬＲによって内部インタフェースを経由して前記ＮＰＤＢへ送信するステップ；前記ユーザが現在加入するネットワークを前記ＮＰＤＢにより決定し、そして前記回送番号を前記ＮＰＨＬＲへ返送し、よって前記断定的操作の前記ローミング番号または前記断定的でない操作の前記回送番号を取得するステップ。
【請求項７】
請求項６の方法であって、
前記ＮＰＨＬＲによって前記ＮＰＤＢへ送信される前記問合せは、前記ＮＰＤＢと前記ＮＰＨＬＲの前記内部インタフェースを経由して実行できる。
【手続補正２】
【補正対象書類名】明細書
【補正対象項目名】００１３
【補正方法】変更
【補正の内容】
【００１３】
ホームネットワークから第２ネットワークへの、ユーザの番号ポータビリティを実施する方法は以下のステップを含む：
ユーザをホームネットワークの呼出側が呼出すステップであって、ユーザのホームネットワークのディレクトリ番号が前記第２ネットワークへ伝達され；
通話をＶＭＳＣＡへ回送するステップ；
ローミング（徘徊）番号を引出すためのＳＲＩ  ＲＥＱメッセージを、ＶＭＳＣＡによってユーザのＨＬＲへ送信するステップであって、ユーザのホームネットワークのディレクトリ番号が第２ネットワークへ伝達され；
ＰＲＮ  ＲＥＱメッセージを、ユーザのＨＬＲによってＧＭＳＣＡへ送信するステップであって、ユーザのホームネットワークのディレクトリ番号は第２ネットワークへ伝達され；
受信されたＰＲＮ  ＲＥＱメッセージをＧＭＳＣＡによって判定して、ＮＰＤＢ＋へのインテリジェントサービスを起動するステップ；
ホームネットワークのディレクトリ番号が第２ネットワークへ伝達されるユーザをＮＰＤＢ＋によって決定することにより、ユーザは本当にそのホームネットワークディレクトリ番号が第２ネットワークへ伝達されるユーザであるか否かを判定するステップであって、その決定が肯定である場合には仮想ローミング番号が割当てられてＣＯＮＮＥＣＴメッセージでＧＭＳＣＡへ戻され、その決定が否定である場合にはエラーコードがＧＭＳＣＡへ戻され；
仮想ローミング番号を、ＧＭＳＣＡによってＰＲＮ  ＲＳＰメッセージでＨＬＲへ戻すステップ；
仮想ローミング番号を、ＨＬＲによってＧＭＳＣＡへＳＲＩ  ＡＣＫメッセージで戻すステップ；
仮想ローミング番号をＶＭＳＣＡによって解析し、そして通話をホームネットワークの従前のゲートウエイＭＳＣＢへ回送するステップ；
回送された番号に基づき、ゲートウエイＭＳＣＢによって通話をゲートウエイＭＳＣＣへ回送するステップ；および、
現在加入するネットワークを、ホームネットワークディレクトリ番号が第２ネットワークへ伝達されるユーザのために、ホームネットワークによって確定するステップ。